(57)【要約】【課題】ボトルホルダー内のビニール袋を直接冷却・加熱して、冷却・加熱効果を高め、ビニール袋内の飲料用液体を短時間で冷却・加熱すること。【解決手段】容器本体底面をほぼ水平面としビニール袋を接触させる構造とし、ニードル式開口装置を、容器本体底面の前端寄りに装備するとともに、前記ニードル式開口装置を装備するニードルユニットエリヤを除いて、容器本体底面の大部分に開口平面を形成し、表面を水平面とし裏面にパイプ係合溝を突出したアルミ型材により製作し前記開口平面に装備された冷却プレートと、前記パイプ係合溝に装備してアルミ型材と一体化した冷媒パイプとにより熱交換器を構成し、飲料用液体収容容器内のビニール袋内の飲料用液体に対し、前記冷却プレートより直接冷却する。【選択図】図2
2015212171.tif 000002
【特許請求の範囲】
【請求項１】
飲料用液体が充填されたビニール袋を収容するための容器本体と該容器本体に対して装着自在とした蓋体とを有する飲料用液体収容容器と、ビニール袋に孔を開け飲料用液体を流出させるためのニードル式開口装置と、給水装置とを含むウオーターサーバーにおいて、
前記容器本体は、容器本体底面をほぼ水平面としビニール袋を接触させる構造とし、ニードル式開口装置を、容器本体底面の前端寄りに装備するとともに、
前記ニードル式開口装置を装備するニードルユニットエリヤを除いて、容器本体底面の大部分に開口平面を形成し、
表面を水平面とし裏面にパイプ係合溝を突出したアルミ型材により製作し前記開口平面に装備された冷却プレートと、前記パイプ係合溝に装入してアルミ型材と一体化した冷媒パイプとにより熱交換器を構成し、
飲料用液体収容容器内のビニール袋内の飲料用液体に対し、前記冷却プレートより直接冷却することを特徴とするウオーターサーバー。
【発明の詳細な説明】
【技術分野】
【０００１】  本発明は、ウオーターサーバーに関するものである。より詳しくは、飲料用液体を収容したビニール袋を使用したウオーターサーバーに関するものである。
【背景技術】
【０００２】  ウオーターサーバーにおいて、飲料用液体の収納容器として、従来の硬質合成樹脂製ボトル、ペットボトルに変えて、ビニール袋を使用するとともに、開封手段としてニードルを使用するものが公知である。
【先行技術文献】
【特許文献】
【０００３】
【特許文献１】特開２０１１−１４３６３０号公開公報「ウオーターサーバー」
【特許文献２】特願２０１３−１６００３１号公開公報「ウオーターサーバー」
【０００４】
【発明の概要】
【発明が解決しようとする課題】
【０００５】  特許文献１の特開２０１１−１４３６３０号公開公報「ウオーターサーバー」は、図６を参照して、ビニール袋２１を内装した箱型のボトルホルダー２０、飲料水孔２２および空気孔２３を含むニードル式開口装置、冷水タンク２４および温水タンク２５を含む飲料水冷却・加熱手段、給水口２６，２７を含む給水装置を開示している。
飲料水冷却・加熱手段としては、冷水タンク２４に内蔵された冷却装置により冷却され、温水タンク２５に内蔵サレタヒーターにより加熱されるところの、飲料水冷却・加熱手段を開示しており、ビニール袋２１内の飲料水等を直接的に冷却・加熱するものではない。
したがって、ビニール袋２１内の飲料水等を直接的に冷却・加熱しないことにより、飲料水等を迅速に冷却・加熱できない問題点がある。
特許文献２の特願２０１３−１６００３１号公開公報「ウオーターサーバー」は、本願出願人による先願発明であるが、特許文献１の特願２０１１−４６４４６号公開公報「ウオーターサーバー」と同様に、飲料用液体が充填されたビニール袋を収容するためのボトルホルダー［飲料用液体収容容器］と、ボトルホルダー［飲料用液体収容容器］に対して装着自在とした蓋体と、ビニール袋に孔を開け、飲料用液体を流出させるための、ニードル式開口装置と、給水装置とを含むウオーターサーバーを開示している。
ボトルホルダー［飲料用液体収容容器］に対する冷却手段として、図７［特許文献３の図３］を参照して、容器本体３０を熱伝導率の高い金属材料で製作し、熱伝導率の高い金属の熱伝導体３２を容器本体３０に接触させ、冷却装置３１により、前記熱伝導体３２を介して、容器本体底面３０ａを冷却して、容器本体内の飲料用液体を冷却する構造としている。冷却装置３１としては、機体の適所に装備したコンプレーサー式冷却装置を適用し、前記熱伝導体３２をコンプレーサーより供給された冷媒で冷却しているが、コンプレーサー式冷却装置に代えて、ペエルチェ素子等の電子素子で冷却装置で構成してもよいことは勿論である
更に、ボトルホルダー［飲料用液体収容容器］の容器本体底面３０ａは、平板状の水平面であり、ニードル式開口装置は、ボトルホルダー［飲料用液体収容容器］の容器本体底面の前端部に装備されている。
よって、飲料用液体が充填されたビニール袋に対する冷却にあたり、容器本体３０に隣接させた冷却装置３１を介して冷却している。【０００６】  本願発明は、先願発明が容器本体底面を介してビニール袋を冷却する構造であるのに対して、ボトルホルダー［飲料用液体収容容器］内のビニール袋を直接冷却・加熱することで、冷却・加熱効果を高め、ビニール袋内の飲料用液体を短時間で冷却・加熱することを課題とする。
【課題を解決するための手段】
【０００７】  本願発明は、
飲料用液体が充填されたビニール袋を収容するための容器本体と該容器本体に対して装着自在とした蓋体とを有する飲料用液体収容容器と、ビニール袋に孔を開け飲料用液体を流出させるためのニードル式開口装置と、給水装置とを含むウオーターサーバーにおいて、
前記容器本体は、容器本体底面をほぼ水平面としビニール袋を接触させる構造とし、ニードル式開口装置を、容器本体底面の前端寄りに装備するとともに、
前記ニードル式開口装置を装備するニードルユニットエリヤを除いて、容器本体底面の大部分に開口平面を形成し、
表面を水平面とし裏面にパイプ係合溝を突出したアルミ型材により製作し前記開口平面に装備された冷却プレートと、前記パイプ係合溝に装入してアルミ型材と一体化した冷媒パイプとにより熱交換器を構成し、
飲料用液体収容容器内のビニール袋内の飲料用液体に対し、前記冷却プレートにより冷却することを特徴とするウオーターサーバーを提供する。
【発明の効果】
【０００８】  本発明は、容器本体底面の大部分に冷却平面を形成し、該冷却平面に装備され表面を水平面とした冷却プレートと、パイプ係合溝によりアルミ型材の冷却プレートと一体化した冷媒パイプとで熱交換器を構成したことにより、ビニール袋内の飲料用液体を直接的に冷却することで、冷却効果を高め、飲料用液体収容容器内のビニール袋の飲料用液体を、急速に冷却できる効果を有する。
【図面の簡単な説明】
【０００９】
【図１】本願発明を実施したウオーターサーバーの大要を説明する縦断面略図
【図２】本願発明の要部である熱交換器を示す斜視図。
【図３】同じく分解斜視図。
【図４】アルミ型材の冷却プレートを示し、ａ図は平面図、ｂ図は縦断面図。
【図５】熱交換器を示し、ａ図は平面図、ｂ図は縦断面図。
【図６】特許文献１のウオーターサーバーの縦断面略図。
【図７】特許文献２のウオーターサーバーの縦断面略図。
【発明を実施するための形態】
【００１０】  図１ないし図５を参照して、本願発明の実施例を示すウオーターサーバーにもとづいて、本願発明を詳細に説明する。
【００１１】  ウオーターサーバーＡは、図１を参照して、飲料用液体Ｗが充填されたビニール袋１を収容するための容器本体２と該容器本体２に対して装着自在とした蓋体３と断熱材４ａを含む容器ケース４と、ビニール袋１に孔を開け、飲料用液体Ｗを流出させるための、ニードル式開口装置５と、給水装置６と、冷却装置７とで構成されている。
【００１２】  冷却装置７は、冷媒圧縮器８と、放熱器９と、熱交換器１０とで構成されることは、図８に示す先願発明と同様である。
【００１３】  本発明の実施にあたり、上記構造のウオーターサーバーＡについて、  前記容器本体２について、容器本体底面２ａをほぼ水平面としビニール袋１を接触さる構造とする。
【００１４】  また、ニードル５ａの針頭および開口を容器本体底面２ａに突出自在とするところの、ニードル式開口装置５を、容器本体底面の前端寄りに装備する。
【００１５】  前記ニードル式開口装置５を装備するニードルユニットエリヤＰを前方寄りとし、
容器本体底面の大部分に開口平面Ｑを形成する。
【００１６】  冷却装置７の熱交換器１０について、表面を水平面とし下面にパイプ係合溝１１Ａを突出したアルミ型材により形成した熱交換プレート（冷却プレート）１１と、パイプ係合溝によりアルミ型材と一体化した冷媒パイプ１２とで、熱交換器１０を構成する。１３は、断熱材製の裏面カバーである。
【００１７】  冷媒パイプ１２への冷媒の供給による熱交換プレート（冷却プレート）１１の加熱・冷却により、飲料用液体収容容器内のビニール袋を介してビニール袋内の飲料用液体を冷却・加熱する。
【００１８】  かくして熱交換器１０の作動により、冷却されたビニール袋Ｗ内の飲料用液体が給水装置６より、コップ等へ供給されることとなる。
【００１９】  実施例においては、コンプレーサー方式の冷却装置を装備したが、電子冷却素子により冷却された冷媒ガスを冷媒パイプ１２を介して熱交換プレート（冷却プレート）１１に供給して、電子冷却方式としてもよいものである。さらに、冷水を供給する構造としたが、加熱装置も併設して、選択作動により、ビニール袋Ｗ内の飲料用液体を、冷却／加熱自在とすることもできる。さらに冷房暖房クーラーのごとく冷房・暖房の切替を自在とする機構とすることで、冷水・温水を選択自在とする構成とすることもできる。
【産業上の利用可能性】
【００２０】  本願発明は、本願発明は、ウオーターサーバーの利用効果を高めることにより、ウオーターサーバーの販売を促進して、産業の発展に寄与するものである。
【符号の説明】
【００２１】  Ａ      ウオーターサーバー
Ｑ      開口平面
Ｗ      飲料用液体
１      ビニール袋
２      容器本体
２ａ      容器本体底面
４      容器ケース
５      ニードル式開口装置
６      給水装置
７      冷却装置
１０      熱交換器
１１      熱交換プレート（冷却プレート）
１１Ａ    パイプ係合溝
１２      冷媒ガス
【図１】
2015212171.tif 000003
【図３】
2015212171.tif 000004
【図２】
2015212171.tif 000005
【図４】
2015212171.tif 000006
【図５】
2015212171.tif 000007
【図６】
2015212171.tif 000008
【図７】
2015212171.tif 000009
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
飲料用液体が充填されたビニール袋を収容するための容器本体と該容器本体に対して装着自在とした蓋体とを有する飲料用液体収容容器と、ビニール袋に孔を開け飲料用液体を流出させるためのニードル式開口装置と、給水装置とを含むウオーターサーバーにおいて、
前記容器本体は、容器本体底面をほぼ水平面としビニール袋を接触させる構造とし、ニードル式開口装置を、容器本体底面の前端寄りに装備するとともに、
前記ニードル式開口装置を装備するニードルユニットエリヤを除いて、容器本体底面の大部分に開口平面を形成し、
表面を水平面とし裏面にパイプ係合溝を突出したアルミ型材により製作し前記開口平面に装備された冷却プレートと、前記パイプ係合溝に装備してアルミ型材と一体化した冷媒パイプとにより熱交換器を構成し、
飲料用液体収容容器内のビニール袋内の飲料用液体に対し、前記冷却プレートより直接冷却することを特徴とするウオーターサーバー。
【手続補正２】
【補正対象書類名】明細書
【補正対象項目名】全文
【補正方法】変更
【補正の内容】
【発明の詳細な説明】
【技術分野】
【０００１】
本発明は、ウオーターサーバーに関するものである。より詳しくは、飲料用液体を収容したビニール袋を使用したウオーターサーバーに関するものである。
【背景技術】
【０００２】
ウオーターサーバーにおいて、飲料用液体の収納容器として、従来の硬質合成樹脂製ボトル、ペットボトルに変えて、ビニール袋を使用するとともに、開封手段としてニードルを使用するものが公知である。
【先行技術文献】
【特許文献】
【０００３】
【特許文献１】特開2011-143630号公開公報「ウオーターサーバー」
【特許文献２】特願2013-160031号「ウオーターサーバー」
【発明の概要】
【発明が解決しようとする課題】
【０００４】
特許文献1の特開2011-143630号公開公報「ウオーターサーバー」は、図６を参照して、ビニール袋２1を内装した箱型のボトルホルダー２０、飲料水孔２２および空気孔２３を含むニードル式開口装置、冷水タンク２４および温水タンク２５を含む飲料水冷却・加熱手段、給水口２６，２７を含む給水装置を開示している。
飲料水冷却・加熱手段としては、冷水タンク２4に内蔵された冷却装置により冷却され、温水タンク２５に内蔵されたヒーターにより加熱されるところの、飲料水冷却・加熱手段を開示しており、ビニール袋２1内の飲料水等を直接的に冷却・加熱するものではない。
したがって、ビニール袋２1内の飲料水等を直接的に冷却・加熱しないことにより、飲料水等を迅速に冷却・加熱できない問題点がある。
【０００５】
特許文献2の特願2013-160031号「ウオーターサーバー」は、本願出願人による先願発明であるが、特許文献1の特願2011-143630号公開公報「ウオーターサーバー」と同様に、飲料用液体が充填されたビニール袋を収容するためのボトルホルダー[飲料用液体収容容器]と、ボトルホルダー[飲料用液体収容容器]に対して装着自在とした蓋体と、ビニール袋に孔を開け、飲料用液体を流出させるための、ニードル式開口装置と、給水装置とを含むウオーターサーバーを開示している。
ボトルホルダー[飲料用液体収容容器]に対する冷却手段として、図7[特許文献2の図３]を参照して、容器本体30を熱伝導率の高い金属材料で製作し、熱伝導率の高い金属の熱伝導体32を容器本体30に接触させ、冷却装置31により、前記熱伝導体32を介して、容器本体底面30aを冷却して、容器本体内の飲料用液体を冷却する構造としている。冷却装置31としては、機体の適所に装備したコンプレッサー式冷却装置を適用し、前記熱伝導体32をコンプレッサーより供給された冷媒で冷却しているが、コンプレッサー式冷却装置に代えて、ペルチェ素子等の電子素子で冷却装置で構成してもよいことは勿論である
更に、ボトルホルダー[飲料用液体収容容器]の容器本体底面30aは、平板状の水平面であり、ニードル式開口装置は、ボトルホルダー[飲料用液体収容容器]の容器本体底面の前端部に装備されている。
よって、飲料用液体が充填されたビニール袋に対する冷却にあたり、容器本体30に隣接させた熱伝導体32を介して冷却している。
【０００６】
本願発明は、先願発明が容器本体底面を介してビニール袋を冷却する構造であるのに対して、ボトルホルダー[飲料用液体収容容器]内のビニール袋を直接冷却・加熱することで、冷却・加熱効果を高め、ビニール袋内の飲料用液体を短時間で冷却・加熱することを課題とする。
【課題を解決するための手段】
【０００７】
本願発明は、
飲料用液体が充填されたビニール袋を収容するための容器本体と該容器本体に対して装着自在とした蓋体とを有する飲料用液体収容容器と、ビニール袋に孔を開け飲料用液体を流出させるためのニードル式開口装置と、給水装置とを含むウオーターサーバーにおいて、
前記容器本体は、容器本体底面をほぼ水平面としビニール袋を接触させる構造とし、ニードル式開口装置を、容器本体底面の前端寄りに装備するとともに、
前記ニードル式開口装置を装備するニードルユニットエリヤを除いて、容器本体底面の大部分に開口平面を形成し、
表面を水平面とし裏面にパイプ係合溝を突出したアルミ型材により製作し前記開口平面に装備された冷却プレートと、前記パイプ係合溝に装備してアルミ型材と一体化した冷媒パイプとにより熱交換器を構成し、
飲料用液体収容容器内のビニール袋内の飲料用液体に対し、前記冷却プレートにより冷却することを特徴とするウオーターサーバーを提供する。
【発明の効果】
【０００８】
本発明は、容器本体底面の大部分に冷却平面を形成し、該冷却平面に装備され表面を水平面とした冷却プレートと、パイプ係合溝によりアルミ型材の冷却プレートと一体化した冷媒パイプとで熱交換器を構成したことにより、ビニール袋内の飲料用液体を直接的に冷却することで、冷却効果を高め、飲料用液体収容容器内のビニール袋の飲料用液体を、急速に冷却できる効果を有する。
【図面の簡単な説明】
【０００９】
【図１】本願発明を実施したウオーターサーバーの大要を説明する縦断面略図
【図２】本願発明の要部である熱交換器を示す斜視図。
【図３】同じく分解斜視図。
【図４】アルミ型材の冷却プレートを示し、a図は平面図、b図は縦断面図。
【図５】熱交換器を示し、a図は平面図、b図は縦断面図。
【図６】特許文献1のウオーターサーバーの縦断面略図。
【図７】特許文献2のウオーターサーバーの縦断面略図。
【発明を実施するための形態】
【００１０】
図１ないし図5を参照して、本願発明の実施例を示すウオーターサーバーにもとづいて、本願発明を詳細に説明する。
【００１１】
ウオーターサーバーAは、図1を参照して、飲料用液体Wが充填されたビニール袋1を収容するための容器本体2と該容器本体2に対して装着自在とした蓋体3と断熱材4ａを含む容器ケース4と、ビニール袋1に孔を開け、飲料用液体Wを流出させるための、ニードル式開口装置5 と、給水装置6と、冷却装置7とで構成されている。
【００１２】
冷却装置7は、冷媒圧縮器8と、放熱器9と、熱交換器10とで構成されることは、図8に示す先願発明と同様である。
【００１３】
本発明の実施にあたり、上記構造のウオーターサーバーAについて、  前記容器本体2について、容器本体底面2aをほぼ水平面としビニール袋1を接触さる構造とする。
【００１４】
また、ニードル5aの針頭および開口を容器本体底面２aに突出自在とするところの、ニードル式開口装置5を、容器本体底面の前端寄りに装備する。
【００１５】
前記ニードル式開口装置5を装備するニードルユニットエリヤＰを前方寄りとし、容器本体底面の大部分に開口平面Ｑを形成する。
【００１６】
冷却装置7の熱交換器10について、表面を水平面とし下面にパイプ係合溝11Aを突出したアルミ型材により形成した熱交換プレート（冷却プレート）11と、パイプ係合溝によりアルミ型材と一体化した冷媒パイプ12とで、熱交換器10を構成する。13は、断熱材製の裏面カバーである。
【００１７】
冷媒パイプ12への冷媒の供給による熱交換プレート（冷却プレート）11の加熱・冷却により、飲料用液体収容容器内のビニール袋を介してビニール袋内の飲料用液体を冷却・加熱する。
【００１８】
かくして、熱交換器10の作動により、冷却されたビニール袋Ｗ内の飲料用液体が給水装置6により、コップ等へ供給されることとなる。
【００１９】
実施例においては、コンプレッサー方式の冷却装置を装備したが、電子冷却素子により冷却された冷媒ガスを冷媒パイプを介して熱交換プレート(冷却プレート)に供給して、電子冷却方式としてもよいものである。
【００２０】
さらに、冷水を供給する構造としたが、加熱装置を併設して。選択作動により、ビニール袋Ｗ内の飲料用液体を、冷却／加熱自在とするこしもできる。
【００２１】

また、冷却暖房クーラーのごとく、冷房・暖房の切替を自在とする機構とすることで、冷却・温水を選択自在とする構成とすることもできる。
【産業上の利用可能性】
【００２２】
本願発明は、ウオーターサーバーの利用効果を高めることにより、ウオーターサーバーの販売を促進して、産業の発展に寄与するものである。
【符号の説明】
【００２３】
Ａ     ウオーターサーバー
Ｑ      開口平面
Ｗ      飲料用液体
１      ビニール袋
２      容器本体
２ａ      容器本体底面
４      容器ケース
５      ニードル式開口装置
６      給水装置
７      冷却装置
１０      熱交換器
１１      熱交換プレート（冷却プレート）
11Ａ      パイプ係合溝
【手続補正４】
【補正対象書類名】図面
【補正対象項目名】図１
【補正方法】変更
【補正の内容】
【図１】
2015212171.tif 000010
【手続補正書】
【提出日】平成26年7月8日(2014.7.8)
【手続補正１】
【補正対象書類名】明細書
【補正対象項目名】０００９
【補正方法】変更
【補正の内容】
【０００９】
【図１】本願発明を実施したウオーターサーバーの大要を説明する縦断面略図
【図２】同じく分解斜視図。
【図３】本願発明の要部である熱交換器を示す斜視図。
【図４】アルミ型材の冷却プレートを示し、a図は平面図、b図は縦断面図。
【図５】熱交換器を示し、a図は平面図、b図は縦断面図。
【図６】特許文献1のウオーターサーバーの縦断面略図。
【図７】特許文献2のウオーターサーバーの縦断面略図。